(57)【特許請求の範囲】
【請求項１】
所定のコンテンツを開示可能な第１サーバと、前記第１サーバにインターネットを介して前記コンテンツの開示を要求する第２サーバとから形成されたコンテンツ開示システムにおいて、
前記第１サーバが、
各種複数のコンテンツを作成するコンテンツ作成手段と、それらコンテンツを一纏めにして各種複数のコンテンツグループとし、それらコンテンツグループのうちの開示を許可するグループに対応させたユニークＵＲＬを生成する第１生成手段と、作成した各種複数のコンテンツを任意の数の集合に分けて各種複数のコンテンツサブグループとし、それらコンテンツサブグループのうちの開示を許可するサブグループに対応させたユニークＵＲＬを生成する第２生成手段と、作成した各種複数のコンテンツのうちの開示を許可するコンテンツに対応させたユニークＵＲＬを生成する第３生成手段と、
それらコンテンツグループおよび各コンテンツグループに対応する前記ユニークＵＲＬを格納する第１格納手段と、それらコンテンツサブグループおよび各コンテンツサブグループに対応する前記ユニークＵＲＬを格納する第２格納手段と、それらコンテンツおよび各コンテンツに対応する前記ユニークＵＲＬを格納する第３格納手段と、
前記コンテンツに他のコンテンツやコンテンツグループ、コンテンツサブグループをリンクさせる第１リンク手段と、前記コンテンツグループにコンテンツや他のコンテンツグループ、コンテンツサブグループをリンクさせる第２リンク手段と、前記コンテンツサブグループにコンテンツやコンテンツグループ、他のコンテンツサブグループをリンクさせる第３リンク手段と、
前記第２サーバが前記ユニークＵＲＬを提示してそのＵＲＬに対応するコンテンツグループの開示を要求したときに、そのＵＲＬに対応するコンテンツグループを前記第２サーバに開示する第１開示手段と、前記第２サーバが前記ユニークＵＲＬを提示してそのＵＲＬに対応するコンテンツサブグループの開示を要求したときに、そのユニークＵＲＬに対応するコンテンツサブグループを前記第２サーバに開示する第２開示手段と、前記第２サーバが前記ユニークＵＲＬを提示してそのＵＲＬに対応するコンテンツの提供を要求したときに、そのユニークＵＲＬに対応するコンテンツを前記第２サーバに開示する第３開示手段とを有し、
前記第１開示手段では、開示されたコンテンツグループに他のコンテンツグループやコンテンツサブグループ、コンテンツのユニークＵＲＬが開示されている場合、そのＵＲＬに対応する他のコンテンツグループやコンテンツサブグループ、コンテンツを前記第２サーバに開示可能であり、前記第２開示手段では、開示されたコンテンツサブグループにコンテンツグループや他のコンテンツサブグループ、コンテンツのユニークＵＲＬが開示されている場合、そのＵＲＬに対応するコンテンツグループや他のコンテンツサブグループ、コンテンツを前記第２サーバに開示可能であり、前記第３開示手段では、開示されたコンテンツにコンテンツグループやコンテンツサブグループ、他のコンテンツのユニークＵＲＬが開示されている場合、そのＵＲＬに対応するコンテンツグループやコンテンツサブグループ、他のコンテンツを前記第２サーバに開示可能であることを特徴とするコンテンツ開示システム。
【請求項２】
前記第１サーバが、開示許可のコンテンツグループを開示不許可に変更する不許可第１変更手段と、開示不許可のコンテンツグループを開示許可に変更する許可第１変更手段とを有し、前記第１生成手段では、開示不許可から開示許可に変更されたコンテンツグループに対応させたユニークＵＲＬを生成する請求項１に記載のコンテンツ開示システム。
【請求項３】
前記不許可第１変更手段では、前記コンテンツグループの開示を不許可にすると、該コンテンツグループにリンクされたコンテンツや他のコンテンツグループ、コンテンツサブグループのリンクが自動的に解除される請求項２に記載のコンテンツ開示システム。
【請求項４】
前記第１サーバが、開示許可のコンテンツサブグループを開示不許可に変更する不許可第２変更手段と、開示不許可のコンテンツサブグループを開示許可に変更する許可第２変更手段とを有し、前記第２生成手段では、開示不許可から開示許可に変更されたコンテンツサブグループに対応させたユニークＵＲＬを生成する請求項１ないし請求項３いずれかに記載のコンテンツ開示システム。
【請求項５】
前記不許可第２変更手段では、前記コンテンツサブグループの開示を不許可にすると、該コンテンツサブグループにリンクされたコンテンツやコンテンツグループ、他のコンテンツサブグループのリンクが自動的に解除される請求項４に記載のコンテンツ開示システム。
【請求項６】
前記第１サーバが、開示許可のコンテンツを開示不許可に変更する不許可第３変更手段と、開示不許可のコンテンツを開示許可に変更する許可第３変更手段とを有し、前記第３生成手段では、開示不許可から開示許可に変更されたコンテンツに対応させたユニークＵＲＬを生成する請求項１ないし請求項５いずれかに記載のコンテンツ開示システム。
【請求項７】
前記不許可第３変更手段では、前記コンテンツの開示を不許可にすると、該コンテンツにリンクされた他のコンテンツやコンテンツグループ、コンテンツサブグループのリンクが自動的に解除される請求項６に記載のコンテンツ開示システム。
【請求項８】
コンテンツ開示システムでは、前記第１サーバと前記第２サーバとがインターネットを介して互いに接続され、前記第２サーバから前記第１サーバへの各種コンテンツの開示要求と前記第１サーバから前記第２サーバへの各種コンテンツの開示とが前記インターネットを介して行われる請求項１ないし請求項７いずれかに記載のコンテンツ開示システム。
【請求項９】
前記第１サーバが、前記コンテンツ作成手段を実行するＣＭＳサーバと、前記第１生成手段〜前記３生成手段を実行するＤＮＳサーバと、前記第１格納手段〜前記第３格納手段を実行するデータベース・ファイルサーバと、前記第１開示手段〜前記第３開示手段を実行するＷｅｂサーバとから形成されている請求項１ないし請求項８いずれかに記載のコンテンツ開示システム。
【発明の詳細な説明】
【技術分野】
【０００１】
本発明は、所定のコンテンツを開示するコンテンツ開示システムに関する。
【背景技術】
【０００２】
ＩＣカードと、コンテンツに割り振られたコンテンツＩＤ番号をＩＣカードに書き込むＩＤ番号書込手段と、ＩＣカードからコンテンツＩＤ番号を読み出し、ネットワークを介してコンテンツＩＤ番号をサーバへ送信する送信手段とを備え、サーバが、送信されたコンテンツＩＤ番号によってデータベースに格納されたコンテンツを特定し、特定したコンテンツをネットワークを介して顧客へ提供するコンテンツ提供手段を有するコンテンツ提供システムがある（特許文献１参照）。ＩＣカードには、コンテンツＩＤ番号の他に、顧客管理情報やプロモーション情報が書き込まれている。このコンテンツ提供システムは、コンテンツ提供装置の占有時間を短縮することができ、大量のコンテンツへの対応を可能にすることができる。
【特許文献１】特開２００１−２９０８９５号公報
【発明の開示】
【発明が解決しようとする課題】
【０００３】
前記特許文献１に開示のコンテンツ提供システムは、個々のコンテンツにコンテンツＩＤ番号を設定し、それらコンテンツの識別を可能としているが、各種複数のコンテンツグループを識別することやコンテンツグループを細分化した各種複数のコンテンツサブグループを識別することはできず、複数のコンテンツを一纏めにしてそれらコンテンツをグループとして提供することができない。このコンテンツ提供システムは、あらかじめ指定されたコンテンツＩＤ番号を各コンテンツに割り振るから、コンテンツを作成する過程において各種複数のコンテンツのうちのどのコンテンツを提供するかを選択しつつ、それらコンテンツにそれらの提供を許可する識別情報を設定することはできない。また、各種複数のコンテンツを集合させた各種複数のコンテンツグループのうちのどのコンテンツグループを提供するかを選択しつつ、それらコンテンツグループにそれらの提供を許可する識別情報を設定することはできない。
【０００４】
本発明の目的は、各コンテンツを開示することができ、各種複数のコンテンツグループとして開示することができるとともに、コンテンツを任意の数の集合に分けた各種複数のコンテンツサブグループとして開示することができるコンテンツ開示システムを提供することにある。本発明の他の目的は、各種複数のコンテンツのうちの開示を許可するコンテンツを自由に選択しつつ、そのコンテンツをリアルタイムに開示することができ、各種複数のコンテンツグループのうちの開示を許可するグループを自由に選択しつつ、そのコンテンツグループをリアルタイムに開示することができるとともに、各種複数のコンテンツサブグループのうちの開示を許可するサブグループを自由に選択しつつ、そのコンテンツサブグループをリアルタイムに開示することができるコンテンツ開示システムを提供することにある。
【課題を解決するための手段】
【０００５】
前記課題を解決するための本発明の前提は、所定のコンテンツを開示可能な第１サーバと、第１サーバにインターネットを介してコンテンツの開示を要求する第２サーバとから形成されたコンテンツ開示システムである。
【０００６】
前記前提における本発明の特徴は、第１サーバが、各種複数のコンテンツを作成するコンテンツ作成手段と、それらコンテンツを一纏めにして各種複数のコンテンツグループとし、それらコンテンツグループのうちの開示を許可するグループに対応させたユニークＵＲＬを生成する第１生成手段と、作成した各種複数のコンテンツを任意の数の集合に分けて各種複数のコンテンツサブグループとし、それらコンテンツサブグループのうちの開示を許可するサブグループに対応させたユニークＵＲＬを生成する第２生成手段と、作成した各種複数のコンテンツのうちの開示を許可するコンテンツに対応させたユニークＵＲＬを生成する第３生成手段と、それらコンテンツグループおよび各コンテンツグループに対応するユニークＵＲＬを格納する第１格納手段と、それらコンテンツサブグループおよび各コンテンツサブグループに対応するユニークＵＲＬを格納する第２格納手段と、それらコンテンツおよび各コンテンツに対応するユニークＵＲＬを格納する第３格納手段と、コンテンツに他のコンテンツやコンテンツグループ、コンテンツサブグループをリンクさせる第１リンク手段と、コンテンツグループにコンテンツや他のコンテンツグループ、コンテンツサブグループをリンクさせる第２リンク手段と、コンテンツサブグループにコンテンツやコンテンツグループ、他のコンテンツサブグループをリンクさせる第３リンク手段と、第２サーバがユニークＵＲＬを提示してそのＵＲＬに対応するコンテンツグループの開示を要求したときに、そのＵＲＬに対応するコンテンツグループを前記第２サーバに開示する第１開示手段と、第２サーバがユニークＵＲＬを提示してそのＵＲＬに対応するコンテンツサブグループの開示を要求したときに、そのユニークＵＲＬに対応するコンテンツサブグループを第２サーバに開示する第２開示手段と、第２サーバがユニークＵＲＬを提示してそのＵＲＬに対応するコンテンツの提供を要求したときに、そのユニークＵＲＬに対応するコンテンツを第２サーバに開示する第３開示手段とを有し、第１開示手段では、開示されたコンテンツグループに他のコンテンツグループやコンテンツサブグループ、コンテンツのユニークＵＲＬが開示されている場合、そのＵＲＬに対応する他のコンテンツグループやコンテンツサブグループ、コンテンツを第２サーバに開示可能であり、第２開示手段では、開示されたコンテンツサブグループにコンテンツグループや他のコンテンツサブグループ、コンテンツのユニークＵＲＬが開示されている場合、そのＵＲＬに対応するコンテンツグループや他のコンテンツサブグループ、コンテンツを第２サーバに開示可能であり、第３開示手段では、開示されたコンテンツにコンテンツグループやコンテンツサブグループ、他のコンテンツのユニークＵＲＬが開示されている場合、そのＵＲＬに対応するコンテンツグループやコンテンツサブグループ、他のコンテンツを第２サーバに開示可能であることある。
【０００７】
本発明の一例としては、第１サーバが、開示許可のコンテンツグループを開示不許可に変更する不許可第１変更手段と、開示不許可のコンテンツグループを開示許可に変更する許可第１変更手段とを有し、第１生成手段では、開示不許可から開示許可に変更されたコンテンツグループに対応させたユニークＵＲＬを生成する。
【０００８】
本発明の他の一例として、不許可第１変更手段では、コンテンツグループの開示を不許可にすると、コンテンツグループにリンクされたコンテンツや他のコンテンツグループ、コンテンツサブグループのリンクが自動的に解除される。
【０００９】
本発明の他の一例としては、第１サーバが、開示許可のコンテンツサブグループを開示不許可に変更する不許可第２変更手段と、開示不許可のコンテンツサブグループを開示許可に変更する許可第２変更手段とを有し、第２生成手段では、開示不許可から開示許可に変更されたコンテンツサブグループに対応させたユニークＵＲＬを生成する。
【００１０】
本発明の他の一例として、不許可第２変更手段では、コンテンツサブグループの開示を不許可にすると、コンテンツサブグループにリンクされたコンテンツやコンテンツグループ、他のコンテンツサブグループのリンクが自動的に解除される。
【００１１】
本発明の他の一例としては、第１サーバが、開示許可のコンテンツを開示不許可に変更する不許可第３変更手段と、開示不許可のコンテンツを開示許可に変更する許可第３変更手段とを有し、第３生成手段では、開示不許可から開示許可に変更されたコンテンツに対応させたユニークＵＲＬを生成する。
【００１２】
本発明の他の一例として、不許可第３変更手段では、コンテンツの開示を不許可にすると、コンテンツにリンクされた他のコンテンツやコンテンツグループ、コンテンツサブグループのリンクが自動的に解除される。
【００１３】
本発明の他の一例として、コンテンツ開示システムでは、第１サーバと第２サーバとがインターネットを介して互いに接続され、第２サーバから第１サーバへの各種コンテンツの開示要求と第１サーバから第２サーバへの各種コンテンツの開示とがインターネットを介して行われる。
【００１４】
本発明の他の一例としては、第１サーバが、コンテンツ作成手段を実行するＣＭＳサーバと、第１生成手段〜３生成手段を実行するＤＮＳサーバと、第１格納手段〜第３格納手段を実行するデータベース・ファイルサーバと、第１開示手段〜第３開示手段を実行するＷｅｂサーバとから形成されている。
【発明の効果】
【００１５】
コンテンツ開示システムは、各種複数のコンテンツグループのうちの開示を許可するグループに対応させたユニークＵＲＬを生成し、そのＵＲＬに対応するコンテンツグループを開示するから、コンテンツグループのうちのすべてのグループを開示するかまたは特定のグループのみを開示するかをコンテンツグループの作成と並行して決定することができ、開示を許可するコンテンツグループと開示不許可のコンテンツグループとを各グループの内容や量、コンテンツ利用者の属性等の各種条件に応じて自由に選択することができる。コンテンツ開示システムは、ユニークＵＲＬを提示してそのＵＲＬに対応するコンテンツグループの開示を要求すると、提示されたユニークＵＲＬに対応するコンテンツグループが開示されるから、開示要求に応じて開示を許可したコンテンツグループをリアルタイムに提供することができる。コンテンツ開示システムは、各コンテンツのうちの必要なコンテンツを一纏めにしたグループとして開示することができ、コンテンツ利用者に有用な情報をリアルタイムに一括提供することができる。
【００１６】
コンテンツ開示システムは、各種複数のコンテンツサブグループのうちの開示を許可するサブグループに対応させたユニークＵＲＬを生成し、そのＵＲＬに対応するコンテンツサブグループを開示するから、コンテンツサブグループのうちのすべてのサブグループを開示するかまたは特定のサブグループのみを開示するかをコンテンツサブグループの作成と並行して決定することができ、開示を許可するコンテンツサブグループと開示不許可のコンテンツサブグループとを各サブグループの内容や量、コンテンツ利用者の属性等の各種条件に応じて自由に選択することができる。コンテンツ開示システムは、ユニークＵＲＬを提示してそのＵＲＬに対応するコンテンツサブグループの開示を要求すると、提示されたユニークＵＲＬに対応するコンテンツサブグループが開示されるから、開示要求に応じて開示を許可したコンテンツサブグループをリアルタイムに提供することができる。コンテンツ開示システムは、各種複数のコンテンツの中から必要なコンテンツを一纏めにしたサブグループとして開示することができ、コンテンツ利用者に有用な情報をリアルタイムに一括提供することができる。
【００１７】
コンテンツ開示システムは、各種複数のコンテンツのうちの開示を許可するコンテンツに対応させたユニークＵＲＬを生成し、そのＵＲＬに対応するコンテンツを開示するから、コンテンツのうちのすべてのコンテンツを開示するかまたは特定のコンテンツのみを開示するかをコンテンツの作成と並行して決定することができ、開示を許可するコンテンツと開示不許可のコンテンツとを各コンテンツの内容や量、コンテンツ利用者の属性等の各種条件に応じて自由に選択することができる。コンテンツ開示システムは、ユニークＵＲＬを提示してそのＵＲＬに対応するコンテンツの開示を要求すると、提示されたユニークＵＲＬに対応するコンテンツが開示されるから、開示要求に応じて開示を許可したコンテンツをリアルタイムに提供することができる。
【００１８】
コンテンツ開示システムは、開示されたコンテンツグループに他のコンテンツグループのユニークＵＲＬが開示されている場合、そのＵＲＬに対応する他のグループを開示可能、かつ、開示されたコンテンツグループにコンテンツサブグループのユニークＵＲＬが開示されている場合、そのＵＲＬに対応するサブグループを開示可能であり、開示されたコンテンツグループにコンテンツのユニークＵＲＬが開示されている場合、そのＵＲＬに対応するコンテンツを開示可能であるから、コンテンツグループに関連する各種複数のコンテンツグループを適時に開示することができ、互いに関連するそれらコンテンツグループを利用することで、それらグループの関連情報を知ることができ、コンテンツ利用者に詳細かつ有用な情報をリアルタイムに一括提供することができる。また、コンテンツグループに関連する各種複数のコンテンツサブグループを適時に開示することができ、互いに関連するコンテンツグループとコンテンツサブグループとを利用することで、コンテンツグループやコンテンツサブグループの関連情報を知ることができ、コンテンツ利用者に詳細かつ有用な情報をリアルタイムに一括提供することができる。さらに、コンテンツグループに関連する各種複数のコンテンツを適時に開示することができ、互いに関連するコンテンツグループとコンテンツとを利用することで、コンテンツグループやコンテンツの関連情報を知ることができ、コンテンツ利用者に詳細かつ有用な情報をリアルタイムに一括提供することができる。
【００１９】
コンテンツ開示システムは、開示されたコンテンツサブグループにコンテンツグループのユニークＵＲＬが開示されている場合、そのＵＲＬに対応するグループを開示可能、かつ、開示されたコンテンツサブグループに他のコンテンツサブグループのユニークＵＲＬが開示されている場合、そのＵＲＬに対応する他のサブグループを開示可能であり、開示されたコンテンツサブグループにコンテンツのユニークＵＲＬが開示されている場合、そのＵＲＬに対応するコンテンツを開示可能であるから、コンテンツサブグループに関連する各種複数のコンテンツグループを適時に開示することができ、互いに関連するコンテンツサブグループとコンテンツグループとを利用することで、コンテンツサブグループやコンテンツグループの関連情報を知ることができ、コンテンツ利用者に詳細かつ有用な情報をリアルタイムに一括提供することができる。また、コンテンツサブグループに関連する各種複数のコンテンツサブグループを適時に開示することができ、互いに関連するそれらサブグループを利用することで、それらコンテンツサブグループの関連情報を知ることができ、コンテンツ利用者に詳細かつ有用な情報をリアルタイムに一括提供することができる。さらに、コンテンツサブグループに関連する各種複数のコンテンツを適時に開示することができ、互いに関連するコンテンツサブグループとコンテンツとを利用することで、コンテンツサブグループやコンテンツの関連情報を知ることができ、コンテンツ利用者に詳細かつ有用な情報をリアルタイムに一括提供することができる。
【００２０】
コンテンツ開示システムは、開示されたコンテンツにコンテンツグループのユニークＵＲＬが開示されている場合、そのＵＲＬに対応するグループを開示可能、かつ、開示されたコンテンツにコンテンツサブグループのユニークＵＲＬが開示されている場合、そのＵＲＬに対応するサブグループを開示可能であり、開示されたコンテンツに他のコンテンツのユニークＵＲＬが開示されている場合、そのＵＲＬに対応する他のコンテンツを開示可能であるから、コンテンツに関連する各種複数のコンテンツグループを適時に開示することができ、互いに関連するコンテンとコンテンツグループとを利用することで、コンテンツやコンテンツグループの関連情報を知ることができ、コンテンツ利用者に詳細かつ有用な情報をリアルタイムに一括提供することができる。また、コンテンツに関連する各種複数のコンテンツサブグループを適時に開示することができ、互いに関連するコンテンツとコンテンツサブグループとを利用することで、コンテンツやコンテンツサブグループの関連情報を知ることができ、コンテンツ利用者に詳細かつ有用な情報をリアルタイムに一括提供することができる。さらに、コンテンツに関連する各種複数のコンテンツを適時に開示することができ、互いに関連するそれらコンテンツを利用することで、それらコンテンツの関連情報を知ることができ、コンテンツ利用者に詳細かつ有用な情報をリアルタイムに一括提供することができる。
【００２１】
コンテンツ開示システムは、開示許可のコンテンツグループを開示不許可に変更する不許可第１変更手段と、開示不許可のコンテンツグループを開示許可に変更する許可第１変更手段とを有するから、事後に生じた各種条件に応じてコンテンツグループを開示不許可に自由に変更することができ、事後に生じた各種条件に応じてコンテンツグループを開示許可に自由に変更することができる。コンテンツ開示システムは、開示が必要となったコンテンツを一纏めにしたグループとして開示することができ、有用な情報をコンテンツ利用者にリアルタイムに一括して提供することができる。
【００２２】
コンテンツ開示システムは、開示許可のコンテンツサブグループを開示不許可に変更する不許可第１変更手段と、開示不許可のコンテンツサブグループを開示許可に変更する許可第１変更手段とを有するから、事後に生じた各種条件に応じてコンテンツサブグループを開示不許可に自由に変更することができ、事後に生じた各種条件に応じてコンテンツサブグループを開示許可に自由に変更することができる。このコンテンツ開示システムは、各種複数のコンテンツの中から開示が必要となったコンテンツを一纏めにしたサブグループとして開示することができ、有用な情報をコンテンツ利用者にリアルタイムに一括して提供することができる。
【００２３】
コンテンツ開示システムは、開示許可のコンテンツを開示不許可に変更する不許可第１変更手段と、開示不許可のコンテンツを開示許可に変更する許可第１変更手段とを有するから、事後に生じた各種条件に応じてコンテンツを開示不許可に自由に変更することができ、事後に生じた各種条件に応じてコンテンツを開示許可に自由に変更することができる。このコンテンツ開示システムは、各種複数のコンテンツの中から開示が必要となったコンテンツを開示することができ、有用な情報をコンテンツ利用者にリアルタイムに提供することができる。
【発明を実施するための最良の形態】
【００２４】
添付の図面を参照し、本発明に係るコンテンツ開示システムの詳細を説明すると、以下のとおりである。図１は、各種コンテンツの作成からユニークＵＲＬ設定までの一例を示す図であり、図２は、各種コンテンツの閲覧の一例を示す図である。このコンテンツ開示システムは、各種コンテンツを作成、保持しつつ、それら各種コンテンツを開示するコンテンツ開示サーバ１０（第１サーバ）と、コンテンツ開示サーバ１０に対して各種コンテンツの開示を要求するコンテンツ要求サーバ１１（第２サーバ）とから形成されている。コンテンツ開示サーバ１０はコンテンツ作成者（提供者）が保有管理し、コンテンツ要求サーバ１１はコンテンツ利用者（閲覧者）が保有管理している。
【００２５】
コンテンツ開示サーバ１０とコンテンツ要求サーバ１１とはインターネットを介して互いに接続可能であり、インターネットを利用することで、開示サーバ１０から要求サーバ１１にアクセスすることができ、要求サーバ１１から開示サーバ１０にアクセスすることができる。コンテンツ要求サーバ１１からコンテンツ開示サーバ１０への各種コンテンツの開示要求や開示サーバ１０から要求サーバ１１への各種コンテンツの開示は、インターネットを介して行われる。なお、図１，２では、コンテンツ開示サーバ１０とコンテンツ要求サーバ１１とを一つのみ図示しているが、実際には複数の開示サーバ１０と要求サーバ１１とが存在し、それらサーバ１０，１１どうしがインターネットを介して互いに接続可能である。
【００２６】
コンテンツ開示サーバ１０やコンテンツ要求サーバ１１は、中央処理部（ＣＰＵまたはＭＰＵ）とメモリ（大容量ハードディスク）とを備えたコンピュータである。コンテンツ開示サーバ１０やコンテンツ要求サーバ１１には、図示はしていないが、キーボードやマウス等の入力装置、ディスプレイやプリンタ等の出力装置がインターフェイスを介して接続されている。コンテンツ開示サーバ１０は、互いに連繋するＣＭＳサーバ１２、ＤＮＳサーバ１３、データベース・ファイルサーバ１４、Ｗｅｂサーバ１５とから形成されている。なお、コンテンツ開示サーバ１０は、各機能を実行する複数のサーバ１２，１３，１４，１５が存在してサーバ群を形成し、ハードウェア的に区分される場合と、１つのサーバ１０が各機能（ＣＭＳ機能、ＤＮＳ機能、データベース機能、Ｗｅｂ機能）を有し、ソフトウェア的に区分される場合とがある。
【００２７】
ＣＭＳサーバ１２（コンテンツ開示サーバ１０）のメモリの内部アドレスファイルには、ＣＭＳ（Contents  Management  System）アプリケーションが格納されている。ＣＭＳサーバ１２（コンテンツ開示サーバ）の中央処理部は、オペレーティングシステムによる制御に基づいて、メモリの内部アドレスファイルに格納されたＣＭＳアプリケーションを起動し、起動したＣＭＳアプリケーションに従って、各種複数のコンテンツを作成するコンテンツ作成手段を実行する。コンテンツ作成者は、ＣＭＳサーバ１２を利用することで各種複数のコンテンツを作成することができる。作成者は、所定のコンテンツを作成した後、保存ボタンをクリックし、コンテンツの保存をＣＭＳサーバ１２に指示する。ＣＭＳサーバ１２は、コンテンツ保存指令に従って、作成されたそれらコンテンツ（コンテンツ名を含む）をデータベース・ファイルサーバ１４に出力する。データベース・ファイルサーバ１４（コンテンツ開示サーバ１０）は、作成されたコンテンツ（コンテンツ名を含む）がＣＭＳサーバ１２から出力されると、それをＲＡＩＤディスク１６（大容量ハードディスク）のコンテンツ作成ファイルに格納する（コンテンツ格納手段）。
【００２８】
ＤＮＳサーバ１３（コンテンツ開示サーバ１０）のメモリの内部アドレスファイルには、ＤＮＳ（Domain  Name  System）アプリケーションとＵＲＬ生成アプリケーションとが格納されている。ＤＮＳサーバ１３は、ＩＰアドレスとドメイン名との対応づけを行う。ＤＮＳサーバ１３（コンテンツ開示サーバ１０）の中央処理部は、オペレーティングシステムによる制御に基づいて、メモリの内部アドレスファイルに格納されたＵＲＬ生成アプリケーションを起動し、起動したＵＲＬ生成アプリケーションに従って、以下の各手段を実行する。中央処理部は、ＣＭＳサーバ１２を介して作成された各種複数のコンテンツのうちの開示を許可するコンテンツに対応させたユニークＵＲＬを生成するＵＲＬ生成手段（第３生成手段）を実行し、ＣＭＳサーバ１２を介して作成されたそれらコンテンツを一纏め（グルーピング）にして各種複数のコンテンツグループとし、それらコンテンツグループのうちの開示を許可するグループに対応するユニークＵＲＬを生成するＵＲＬ生成手段（第１生成手段）を実行する。さらに、ＣＭＳサーバ１２を介して作成されたそれらコンテンツを任意の数の集合に分けて各種複数のコンテンツサブグループとし、それらコンテンツサブグループのうちの開示を許可するサブグループに対応するユニークＵＲＬを生成するＵＲＬ生成手段（第２生成手段）を実行する。
【００２９】
コンテンツ作成者は、作成した各種複数のコンテンツのうちの開示を許可するコンテンツを指定（選択）する。作成された各種コンテンツとユニークＵＲＬとを関連付ける手順の一例を説明すると、以下のとおりである。作成者は、ディスプレイに表示された初期画面（図示せず）から開示設定ボタンをクリックする。開示設定ボタンをクリックすると、データベース・ファイルサーバ１４に格納されたコンテンツを示す複数のコンテンツ名がサーバ１４から出力される。ディスプレイには、作成された各種複数のコンテンツのコンテンツ名一覧が表示される。作成者は、コンテンツ名一覧から開示を許可するコンテンツ名を指定（選択）した後、ＵＲＬ生成ボタンをクリックし、指定したコンテンツ名のコンテンツに対応するユニークＵＲＬの生成指令をＤＮＳサーバ１３に指示する。ＤＮＳサーバ１３は、ＵＲＬ生成指令に従って、指定されたコンテンツに対応するユニークＵＲＬを生成する（ＵＲＬ生成手段、第３生成手段）。コンテンツとそれに対応するユニークＵＲＬとは互いに関連付けられている。
【００３０】
ディスプレイのコンテンツ表示エリアには指定されたコンテンツ名が表示され、ＵＲＬ表示エリアにはコンテンツ名のコンテンツに対応するユニークＵＲＬが表示される。作成者は、保存ボタンをクリックし、ディスプレイに表示されたコンテンツ名のコンテンツとそのコンテンツのユニークＵＲＬとの保存をＤＮＳサーバ１３に指示する。ＤＮＳサーバ１３は、保存指令に従って、指定されたコンテンツ名と生成したコンテンツのユニークＵＲＬとをデータベース・ファイルサーバ１４に出力する。
【００３１】
コンテンツ作成者は、ディスプレイに表示されたコンテンツ名一覧を一括して指定（選択）し、それらコンテンツ名のコンテンツを一纏めにして開示を許可するコンテンツグループとした後、ＵＲＬ生成ボタンをクリックし、コンテンツグループに対応するユニークＵＲＬの生成指令をＤＮＳサーバに指示する。ＤＮＳサーバ１３は、ＵＲＬ生成指令に従って、一括指定された複数のコンテンツを一つのコンテンツグループと認識し、そのコンテンツグループに対応するユニークＵＲＬを生成する（ＵＲＬ生成手段、第１生成手段）。コンテンツグループとそれに対応するユニークＵＲＬとは互いに関連付けられている。
【００３２】
ディスプレイのコンテンツ表示エリアにはコンテンツグループを形成する複数のコンテンツ名が表示され、ＵＲＬ表示エリアにはコンテンツグループに対応するユニークＵＲＬが表示される。さらに、コンテンツグループ名の入力エリアが表示される。作成者は、コンテンツグループ名の入力エリアにグループ名を入力した後、保存ボタンをクリックし、ディスプレイに表示されたコンテンツグループのコンテンツグループ名とそのコンテンツグループのユニークＵＲＬとの保存をＤＮＳサーバ１３に指示する。ＤＮＳサーバ１３は、保存指令に従って、コンテンツグループを形成する複数のコンテンツ名を一纏めにしたコンテンツグループ名と生成したコンテンツグループのユニークＵＲＬとをデータベース・ファイルサーバ１４に出力する。なお、コンテンツグループ名とコンテンツグループを形成するコンテンツのコンテンツ名とは互いに関連付けられている。
【００３３】
コンテンツ作成者は、ディスプレイに表示されたコンテンツ名一覧を任意の数の集合（任意の複数の集合）に分けて指定（選択）し、指定した任意の数のコンテンツ名のコンテンツを一纏めにして開示を許可するコンテンツサブグループとした後、ＵＲＬ生成ボタンをクリックし、コンテンツサブグループに対応するユニークＵＲＬの生成指令をＤＮＳサーバ１３に指示する。ＤＮＳサーバ１３は、ＵＲＬ生成指令に従って、部分的に指定された複数のコンテンツを一つのコンテンツサブグループと認識し、そのコンテンツサブグループに対応するユニークＵＲＬを生成する（ＵＲＬ生成手段、第２生成手段）。コンテンツサブグループとそれに対応するユニークＵＲＬとは互いに関連付けられている。
【００３４】
ディスプレイのコンテンツ表示エリアにはコンテンツサブグループを形成する複数のコンテンツ名が表示され、ＵＲＬ表示エリアにはコンテンツサブグループに対応するユニークＵＲＬが表示される。さらに、コンテンツサブグループ名の入力エリアが表示される。作成者は、コンテンツサブグループ名の入力エリアにサブグループ名を入力した後、保存ボタンをクリックし、ディスプレイに表示されたコンテンツサブグループのコンテンツ名とそのコンテンツサブグループのユニークＵＲＬとの保存をＤＮＳサーバ１３に指示する。ＤＮＳサーバ１３は、保存指令に従って、コンテンツサブグループを形成する複数のコンテンツ名と生成したコンテンツサブグループのユニークＵＲＬとをデータベース・ファイルサーバ１４に出力する。なお、コンテンツサブグループ名とコンテンツサブグループを形成するコンテンツのコンテンツ名とは互いに関連付けられている。
【００３５】
データベース・ファイルサーバ１４（コンテンツ開示サーバ１０）のメモリの内部アドレスファイルには、ＤＢＭＳ（Database  Management  System）アプリケーションが格納されている。データベース・ファイルサーバ１４は、作成されたコンテンツ、開示が許可されたコンテンツやコンテンツグループ、コンテンツサブグループを別個独立かつ並列に管理保全する。データベース・ファイルサーバ１４（コンテンツ開示サーバ１０）の中央処理部は、オペレーティングシステムによる制御に基づいて、メモリの内部アドレスファイルに格納されたアプリケーションを起動し、起動したアプリケーションに従って、以下の各手段を実行する。
【００３６】
データベース・ファイルサーバ１４の中央処理部は、開示が許可されたコンテンツおよびその各コンテンツに対応するユニークＵＲＬを格納する開示コンテンツ格納手段（第３格納手段）を実行し、開示が許可されたコンテンツグループおよびその各グループに対応するユニークＵＲＬを格納する開示コンテンツグループ格納手段（第１格納手段）を実行する。さらに、開示が許可されたコンテンツサブグループおよびその各サブグループに対応するユニークＵＲＬを格納する開示コンテンツサブグループ格納手段（第２格納手段）を実行する。中央処理部は、コンテンツに他のコンテンツやコンテンツグループ、コンテンツサブグループをリンクさせるリンク手段（第１リンク手段）を実行し、コンテンツグループにコンテンツや他のコンテンツグループ、コンテンツサブグループをリンクさせるリンク手段（第２リンク手段）を実行する。さらに、コンテンツサブグループにコンテンツやコンテンツグループ、他のコンテンツサブグループをリンクさせるリンク手段（第３リンク手段）を実行する。
【００３７】
データベース・ファイルサーバ１４は、指定されたコンテンツ名とそのコンテンツに対応するユニークＵＲＬとがＤＮＳサーバ１３から出力されると、そのコンテンツ名のコンテンツとＵＲＬとを関連付けた状態で、コンテンツ（コンテンツ名を含む）とＵＲＬとをＲＡＩＤディスク１６のコンテンツ開示ファイルに格納する（開示コンテンツ格納手段）。データベース・ファイルサーバ１４は、指定されたコンテンツグループのコンテンツ名とそのコンテンツグループに対応するユニークＵＲＬとがＤＮＳサーバ１３から出力されると、それらコンテンツ名のコンテンツから形成されるコンテンツグループとＵＲＬとを関連付けた状態で、コンテンツグループ（コンテンツグループ名およびコンテンツグループを形成するコンテンツのコンテンツ名を含む）とＵＲＬとをＲＡＩＤディスク１６のコンテンツグループ開示ファイルに格納する（開示コンテンツグループ格納手段）。データベース・ファイルサーバ１４は、指定されたコンテンツサブグループのコンテンツ名とそのコンテンツサブグループに対応するユニークＵＲＬとがＤＮＳサーバ１３から出力されると、それらコンテンツ名のコンテンツから形成されるコンテンツサブグループとＵＲＬとを関連付けた状態で、コンテンツサブグループ（コンテンツサブグループ名およびコンテンツサブグループを形成するコンテンツのコンテンツ名を含む）とＵＲＬとをＲＡＩＤディスク１６のコンテンツサブグループ開示ファイルに格納する（開示コンテンツサブグループ格納手段）。
【００３８】
図３は、作成された各種コンテンツの一例を示す図である。作成されたコンテンツは、図３に示すように、コンテンツに関連するコンテンツがツリー状に並んでいる。各種複数のコンテンツがツリー状に並ぶコンテンツの集合Ａ１において一括指定されたコンテンツグループＧは文書と画像とＰＤＦとであり、コンテンツグループＧではグループＧを形成するそれらすべてのコンテンツの開示が許可される。各種複数のコンテンツがツリー状に並ぶコンテンツの集合Ａ２において複数のコンテンツが部分的に指定されたコンテンツサブグループは文書や画像、ＰＤＦのサブグループＳＧ１と文書や画像、ＰＤＦのサブグループＳＧ２とであり、それらコンテンツサブグループＳＧ１，ＳＧ２ではサブグループＳＧ１，ＳＧ２を形成するそれらコンテンツ（文書、画像、ＰＤＦ）の開示が許可される。サブグループＳＧ１，ＳＧ２に含まれないコンテンツ（文書）の開示は不許可である。
【００３９】
各種複数のコンテンツがツリー状に並ぶコンテンツの集合Ａ３において複数のコンテンツが部分的に指定されたコンテンツサブグループは文書のサブグループＳＧ３と文書や画像のサブグループＳＧ４と文書のサブグループＳＧ５とであり、それらコンテンツサブグループＳＧ３，ＳＧ４，ＳＧ５ではサブグループＳＧ３，ＳＧ４，ＳＧ５を形成するそれらコンテンツ（文書、画像）の開示が許可される。それらサブグループＳＧ３，ＳＧ４，ＳＧ５では、一部のコンテンツが重複している。各種複数のコンテンツがツリー状に並ぶコンテンツの集合Ａ４において指定されたコンテンツは文書Ｔ１〜Ｔ５と画像Ｐ１とであり、他の文書は除外されている。ゆえに、このコンテンツの集合Ａ４において開示が許可されたコンテンツはそれら文書Ｔ１〜Ｔ５や画像Ｐ１であり、他のコンテンツ（文書）の開示は不許可である。なお、図３では、コンテンツの一例として文書や画像、ＰＤＦを図示しているが、コンテンツに特に限定はなく、図示のコンテンツの他、すべての伝達対象（情報）が含まれる。
【００４０】
コンテンツ作成者は、開示が許可されたコンテンツに開示が許可された各種コンテンツをリンクさせることができる。各種コンテンツのリンク手順の一例を説明すると、以下のとおりである。作成者は、ディスプレイに表示された初期画面からリンクボタンをクリックする。リンクボタンをクリックすると、ディスプレイにコンテンツ、コンテンツグループ、コンテンツサブグループのリンク選択画面が表示される。リンク選択画面からコンテンツを選択すると、データベース・ファイルサーバ１４に格納されたユニークＵＲＬとそのＵＲＬに関連付けられたコンテンツ名、コンテンツグループ名、コンテンツサブグループ名とがサーバ１４から出力される。ディスプレイには、ユニークＵＲＬとそのＵＲＬに関連付けられたコンテンツ名のリンク元一覧が表示され、ユニークＵＲＬとそのＵＲＬに関連付けられたコンテンツ名のリンク先一覧が表示される。さらに、ユニークＵＲＬとそのＵＲＬに関連付けられたコンテンツグループ名のリンク先一覧が表示され、ユニークＵＲＬとそのＵＲＬに関連付けられたコンテンツサブグループ名のリンク先一覧が表示される。
【００４１】
コンテンツ作成者は、リンク元一覧からコンテンツ名を指定した後、リンク先一覧からコンテンツ名やコンテンツグループ名、コンテンツサブグループ名のうちの少なくとも一つを指定する。作成者は、リンク元のコンテンツ名とリンク先のコンテンツ名やコンテンツグループ名、コンテンツサブグループ名を指定した後、リンク設定ボタンをクリックし、リンク元とリンク先とのリンクの設定をデータベース・ファイルサーバ１４に指示する。データベース・ファイルサーバ１４は、リンク設定指令に従って、指定されたリンク元とリンク先とのリンクを設定し（リンク手段）、設定したリンクをＲＡＩＤディスク１６のコンテンツリンクファイルに格納する。リンク元のコンテンツには、リンク先のコンテンツやコンテンツグループ、コンテンツサブグループのユニークＵＲＬが開示（記載）される。
【００４２】
コンテンツ作成者がディスプレイに表示されたコンテンツ、コンテンツグループ、コンテンツサブグループのリンク選択画面からコンテンツグループを選択すると、データベース・ファイルサーバ１４に格納されたユニークＵＲＬとそのＵＲＬに関連付けられたコンテンツグループ名、コンテンツサブグループ名、コンテンツ名とがサーバ１４から出力される。ディスプレイには、ユニークＵＲＬとそのＵＲＬに関連付けられたコンテンツグループ名のリンク元一覧が表示され、ユニークＵＲＬとそのＵＲＬに関連付けられたコンテンツ名のリンク先一覧が表示される。さらに、ユニークＵＲＬとそのＵＲＬに関連付けられたコンテンツグループ名のリンク先一覧が表示され、ユニークＵＲＬとそのＵＲＬに関連付けられたコンテンツサブグループ名のリンク先一覧が表示される。
【００４３】
コンテンツ作成者は、リンク元一覧からコンテンツグループ名を指定した後、リンク先一覧からコンテンツ名やコンテンツグループ名、コンテンツサブグループ名のうちの少なくとも一つを指定する。作成者は、リンク元のコンテンツグループ名とリンク先のコンテンツ名やコンテンツグループ名、コンテンツサブグループ名を指定した後、リンク設定ボタンをクリックし、リンク元とリンク先とのリンクの設定をデータベース・ファイルサーバ１４に指示する。データベース・ファイルサーバ１４は、リンク設定指令に従って、指定されたリンク元とリンク先とのリンクを設定し（リンク手段）、設定したリンクをＲＡＩＤディスク１６のコンテンツグループリンクファイルに格納する。リンク元のコンテンツグループには、リンク先のコンテンツやコンテンツグループ、コンテンツサブグループのＵＲＬが開示される。
【００４４】
コンテンツ作成者がディスプレイに表示されたコンテンツ、コンテンツグループ、コンテンツサブグループのリンク選択画面からコンテンツサブグループを選択すると、データベース・ファイルサーバ１４に格納されたユニークＵＲＬとそのＵＲＬに関連付けられたコンテンツサブグループ名、コンテンツグループ名、コンテンツ名とがサーバ１４から出力される。ディスプレイには、ユニークＵＲＬとそのＵＲＬに関連付けられたコンテンツサブグループ名のリンク元一覧が表示され、ユニークＵＲＬとそのＵＲＬに関連付けられたコンテンツ名のリンク先一覧が表示される。さらに、ユニークＵＲＬとそのＵＲＬに関連付けられたコンテンツグループ名のリンク先一覧が表示され、ユニークＵＲＬとそのＵＲＬに関連付けられたコンテンツサブグループ名のリンク先一覧が表示される。
【００４５】
コンテンツ作成者は、リンク元一覧からコンテンツサブグループ名を指定した後、リンク先一覧からコンテンツ名やコンテンツグループ名、コンテンツサブグループ名のうちの少なくとも一つを指定する。作成者は、リンク元のコンテンツサブグループ名とリンク先のコンテンツ名やコンテンツグループ名、コンテンツサブグループ名を指定した後、リンク設定ボタンをクリックし、リンク元とリンク先とのリンクの設定をデータベース・ファイルサーバ１４に指示する。データベース・ファイルサーバ１４は、リンク設定指令に従って、指定されたリンク元とリンク先とのリンクを設定し（リンク手段）、設定したリンクをＲＡＩＤディスク１６のコンテンツサブグループリンクファイルに格納する。リンク元のコンテンツサブグループには、リンク先のコンテンツやコンテンツグループ、コンテンツサブグループのＵＲＬが開示される。
【００４６】
互いにリンクされた各種コンテンツは、図３に示すように、コンテンツサブグループＳＧ１とコンテンツサブグループＳＧ２とがリンクされ、コンテンツサブグループＳＧ１とコンテンツグループＳＧ３とがリンクされ、コンテンツサブグループＳＧ２とコンテンツＴ１とがリンクされている。コンテンツサブグループＳＧ５とコンテンツＴ５とがリンクされ、コンテンツサブグループＳＧ５とコンテンツグループＧとがリンクされ、コンテンツグループＧとコンテンツＴ４とがリンクされている。さらに、コンテンツＴ１とコンテンツＰ１とがリンクされている。
【００４７】
Ｗｅｂサーバ１５は、Ｗｅｂ上に公開され、ユニークＵＲＬを提示することでアクセスすることができ、ユニークＵＲＬに対応するコンテンツやコンテンツグループ、コンテンツサブグループをデータベース・ファイルサーバ１４から受け取り、それらをＨＴＭＬに変換した後、それらを開示する。Ｗｅｂサーバ１５（コンテンツ開示サーバ１０）の中央処理部は、オペレーティングシステムによる制御に基づいて、メモリの内部アドレスファイルに格納されたアプリケーションを起動し、起動したアプリケーションに従って、以下の各手段を実行する。中央処理部は、コンテンツ要求サーバ１１がユニークＵＲＬを提示してそのＵＲＬに対応するコンテンツの開示を要求したときに、そのユニークＵＲＬに対応するコンテンツを要求サーバ１１に開示するコンテンツ開示手段（第３開示手段）を実行し、コンテンツ要求サーバ１１がユニークＵＲＬを提示してそのＵＲＬに対応するコンテンツグループの開示を要求したときに、そのユニークＵＲＬに対応するコンテンツグループを要求サーバ１１に開示するコンテンツグループ開示手段（第１開示手段）を実行する。さらに、コンテンツ要求サーバ１１がユニークＵＲＬを提示してそのＵＲＬに対応するコンテンツサブグループの開示を要求したときに、そのユニークＵＲＬに対応するコンテンツサブグループを要求サーバ１１に開示するコンテンツサブグループ開示手段（第２開示手段）を実行する。
【００４８】
Ｗｅｂサーバ１５の中央処理部は、開示されたコンテンツにリンクするコンテンツやコンテンツグループ、コンテンツサブグループの開示をコンテンツ要求サーバ１１が要求すると、コンテンツにリンクするコンテンツやコンテンツグループ、コンテンツサブグループをデータベース・ファイルサーバ１４から受け取り、それらリンクデータをＨＴＭＬに変換した後、それらリンクデータを要求サーバ１１に開示するコンテンツリンクデータ開示手段を実行する。中央処理部は、開示されたコンテンツグループにリンクするコンテンツやコンテンツグループ、コンテンツサブグループの開示をコンテンツ要求サーバ１１が要求すると、コンテンツグループにリンクするコンテンツやコンテンツグループ、コンテンツサブグループをデータベース・ファイルサーバ１４から受け取り、それらリンクデータをＨＴＭＬに変換した後、それらリンクデータを要求サーバ１１に開示するコンテンツグループリンクデータ開示手段を実行する。さらに、開示されたコンテンツサブグループにリンクするコンテンツやコンテンツグループ、コンテンツサブグループの開示をコンテンツ要求サーバ１１が要求すると、コンテンツサブグループにリンクするコンテンツやコンテンツグループ、コンテンツサブグループをデータベース・ファイルサーバ１４から受け取り、それらリンクデータをＨＴＭＬに変換した後、それらリンクデータを要求サーバ１１に開示するコンテンツサブグループリンクデータ開示手段を実行する。
【００４９】
コンテンツ開示サーバ１０は、開示を許可したコンテンツの開示を不許可とする不許可変更手段（不許可第３変更手段）を実行し、開示を許可したコンテンツグループの開示を不許可とする不許可変更手段（不許可第１変更手段）を実行するとともに、開示を許可したコンテンツサブグループの開示を不許可とする不許可変更手段（不許可第２変更手段）を実行する。コンテンツ開示サーバ１０は、開示不許可のコンテンツの開示を許可する許可変更手段（許可第３変更手段）を実行し、開示不許可のコンテンツグループの開示を許可する許可変更手段（許可第１変更手段）を実行するとともに、開示不許可のコンテンツサブグループの開示を許可する許可変更手段（許可第２変更手段）を実行する。コンテンツ作成者は、開示を許可したコンテンツやコンテンツグループ、コンテンツサブグループの開示を不許可とすることができる。開示許可を開示不許可にする手順の一例を説明すると、以下のとおりである。
【００５０】
コンテンツ作成者は、ディスプレイに表示された初期画面から不許可変更ボタンをクリックする。不許可変更ボタンをクリックすると、ディスプレイにはコンテンツ、コンテンツグループ、コンテンツサブグループの不許可変更選択画面が表示される。不許可変更選択画面からコンテンツを指定すると、開示が許可されたコンテンツを示す複数のコンテンツ名がデータベース・ファイルサーバ１４から出力される。ディスプレイには、開示が許可された各種複数のコンテンツのコンテンツ名一覧が表示される。作成者は、コンテンツ名一覧から開示を不許可とするコンテンツ名を指定（選択）した後、不許可確認ボタンをクリックし、指定したコンテンツ名のコンテンツの開示許可から開示不許可への変更指令をコンテンツ開示サーバ１０に指示する。コンテンツ開示サーバ１０は、変更指令に従って、指定されたコンテンツを開示許可から開示不許可に変更する（不許可変更手段）。
【００５１】
ディスプレイのコンテンツ表示エリアには指定されたコンテンツ名が表示され、そのコンテンツ名に対応する開示不許可表示ボックスにチェックマークが表示される。コンテンツ作成者は、確認ボタンをクリックし、ディスプレイに表示されたコンテンツ名のコンテンツの開示不許可への更新をコンテンツ開示サーバ１０に指示する。コンテンツ開示サーバ１０は、更新指令に従って、指定されたコンテンツのコンテンツ名とそのコンテンツに対応するユニークＵＲＬとをデータベース・ファイルサーバ１４のＲＡＩＤディスク１６のコンテンツ開示ファイルから削除する。コンテンツの開示を不許可にすると、そのコンテンツにリンクする他の各種コンテンツのリンクが自動的に解除される。
【００５２】
コンテンツ作成者が不許可変更選択画面からコンテンツグループを指定すると、開示が許可されたコンテンツグループを示す複数のコンテンツグループ名がデータベース・ファイルサーバ１４から出力される。ディスプレイには、開示が許可された各種複数のコンテンツグループ名一覧が表示される。作成者は、コンテンツグループ名一覧から開示を不許可とするコンテンツグループ名を指定（選択）した後、不許可確認ボタンをクリックし、指定したコンテンツグループ名のコンテンツグループの開示許可から開示不許可への変更指令をコンテンツ開示サーバ１０に指示する。コンテンツ開示サーバ１０は、変更指令に従って、指定されたコンテンツグループを開示許可から開示不許可に変更する（不許可変更手段）。
【００５３】
ディスプレイのコンテンツ表示エリアには指定されたコンテンツグループ名が表示され、そのコンテンツグループ名に対応する開示不許可表示ボックスにチェックマークが表示される。作成者は、確認ボタンをクリックし、ディスプレイに表示されたコンテンツグループ名のコンテンツグループの開示不許可への更新をコンテンツ開示サーバ１０に指示する。コンテンツ開示サーバ１０は、更新指令に従って、指定されたコンテンツグループのグループ名とそのグループに対応するユニークＵＲＬとをデータベース・ファイルサーバ１４のＲＡＩＤディスク１６のコンテンツグループ開示ファイルから削除する。コンテンツグループの開示を不許可にすると、そのコンテンツグループにリンクする他の各種コンテンツのリンクが自動的に解除される。
【００５４】
コンテンツ作成者が不許可変更選択画面からコンテンツサブグループを指定すると、開示が許可されたコンテンツサブグループを示す複数のコンテンツサブグループ名がデータベース・ファイルサーバ１４から出力される。ディスプレイには、開示が許可された各種複数のコンテンツサブグループ名一覧が表示される。作成者は、コンテンツサブグループ名一覧から開示を不許可とするコンテンツサブグループ名を指定（選択）した後、不許可確認ボタンをクリックし、指定したコンテンツサブグループ名のコンテンツサブグループの開示許可から開示不許可への変更指令をコンテンツ開示サーバ１０に指示する。コンテンツ開示サーバ１０は、変更指令に従って、指定されたコンテンツサブグループを開示許可から開示不許可に変更する（不許可変更手段）。
【００５５】
ディスプレイのコンテンツ表示エリアには指定されたコンテンツサブグループ名が表示され、そのコンテンツサブグループ名に対応する開示不許可表示ボックスにチェックマークが表示される。作成者は、確認ボタンをクリックし、ディスプレイに表示されたコンテンツサブグループ名のコンテンツサブグループの開示不許可への更新をコンテンツ開示サーバ１０に指示する。コンテンツ開示サーバ１０は、更新指令に従って、指定されたコンテンツサブグループのサブグループ名とそのサブグループに対応するユニークＵＲＬとをデータベース・ファイルサーバ１４のＲＡＩＤディスク１６のコンテンツサブグループ開示ファイルから削除する。コンテンツサブグループの開示を不許可にすると、そのコンテンツサブグループにリンクする他の各種コンテンツのリンクが自動的に解除される。
【００５６】
コンテンツ作成者は、開示不許可のコンテンツやコンテンツグループ、コンテンツサブグループの開示を許可することができる。開示不許可を開示許可にする手順の一例を説明すると、以下のとおりである。作成者は、ディスプレイに表示された初期画面から許可変更ボタンをクリックする。許可変更ボタンをクリックすると、ディスプレイにはコンテンツ、コンテンツグループ、コンテンツサブグループの許可変更選択画面が表示される。許可変更選択画面からコンテンツを指定すると、開示不許可のコンテンツを示す複数のコンテンツ名がデータベース・ファイルサーバ１４から出力される。ディスプレイには、開示不許可の各種複数のコンテンツのコンテンツ名一覧が表示される。作成者は、コンテンツ名一覧から開示許可に変更するコンテンツ名を指定（選択）した後、許可確認ボタンをクリックし、指定したコンテンツ名のコンテンツの開示不許可から開示許可への変更指令をコンテンツ開示サーバ１０に指示する。コンテンツ開示サーバ１０は、変更指令に従って、指定されたコンテンツを開示不許可から開示許可に変更する（許可変更手段）。
【００５７】
ディスプレイのコンテンツ表示エリアには指定されたコンテンツ名が表示され、そのコンテンツ名に対応する開示許可表示ボックスにチェックマークが表示される。作成者は、確認ボタンをクリックし、ディスプレイに表示されたコンテンツ名のコンテンツの開示許可への更新をコンテンツ開示サーバ１０に指示する。コンテンツ開示サーバ１０は、更新指令に従って、指定されたコンテンツを開示不許可から開示許可に更新する。
【００５８】
具体的には、ＤＮＳサーバ１３が開示不許可から開示許可に変更されたコンテンツに対応するユニークＵＲＬを生成し（ＵＲＬ生成手段、第３生成手段）、そのコンテンツのコンテンツ名と生成したコンテンツのユニークＵＲＬとをデータベース・ファイルサーバ１４に出力する。データベース・ファイルサーバサーバ１４は、ＤＮＳサーバ１３から出力されたコンテンツ名とそのコンテンツに対応するユニークＵＲＬとを関連付けた状態で、コンテンツ（コンテンツ名を含む）とＵＲＬとをＲＡＩＤディスク１６のコンテンツ開示ファイルに格納する（開示コンテンツ格納手段）。コンテンツ作成者は、開示許可に変更されたコンテンツに開示が許可された各種コンテンツをリンクさせることができる。データベース・ファイルサーバ１４は、リンク設定指令に従って、指定されたリンク元とリンク先とのリンクを設定し（リンク手段）、設定したリンクをＲＡＩＤディスク１６のコンテンツリンクファイルに格納する。
【００５９】
コンテンツ作成者が許可変更選択画面からコンテンツグループを指定すると、開示不許可のコンテンツグループを示す複数のコンテンツグループ名がデータベース・ファイルサーバ１４から出力される。ディスプレイには、開示不許可の各種複数のコンテンツグループのコンテンツグループ名一覧が表示される。作成者は、コンテンツグループ名一覧から開示許可に変更するコンテンツグループ名を指定（選択）した後、許可確認ボタンをクリックし、指定したコンテンツグループ名のコンテンツグループの開示不許可から開示許可への変更指令をコンテンツ開示サーバ１０に指示する。コンテンツ開示サーバ１０は、変更指令に従って、指定されたコンテンツを開示不許可から開示許可に変更する（許可変更手段）。
【００６０】
ディスプレイのコンテンツ表示エリアには指定されたコンテンツグループ名が表示され、開示許可表示ボックスにチェックマークが表示される。作成者は、確認ボタンをクリックし、ディスプレイに表示されたコンテンツグループ名のコンテンツグループの開示許可への更新をコンテンツ開示サーバ１０に指示する。コンテンツ開示サーバ１０は、更新指令に従って、指定されたコンテンツグループを開示不許可から開示許可に更新する。
【００６１】
具体的には、ＤＮＳサーバ１３が開示不許可から開示許可に変更されたコンテンツグループに対応するユニークＵＲＬを生成し（ＵＲＬ生成手段、第１生成手段）、そのコンテンツグループのコンテンツグループ名と生成したコンテンツグループのユニークＵＲＬとをデータベース・ファイルサーバ１４に出力する。データベース・ファイルサーバサーバ１４は、ＤＮＳサーバ１３から出力されたコンテンツグループ名とそのコンテンツグループに対応するユニークＵＲＬとを関連付けた状態で、コンテンツグループ（コンテンツグループ名を含む）とＵＲＬとをＲＡＩＤディスク１６のコンテンツグループ開示ファイルに格納する（開示コンテンツ格納手段）。コンテンツ作成者は、開示許可に変更されたコンテンツグループに開示が許可された各種コンテンツをリンクさせることができる。データベース・ファイルサーバ１４は、リンク設定指令に従って、指定されたリンク元とリンク先とのリンクを設定し（リンク手段）、設定したリンクをＲＡＩＤディスク１６のコンテンツグループリンクファイルに格納する。
【００６２】
コンテンツ作成者が許可変更選択画面からコンテンツサブグループを指定すると、開示不許可のコンテンツサブグループを示す複数のコンテンツサブグループ名がデータベース・ファイルサーバ１４から出力される。ディスプレイには、開示不許可の各種複数のコンテンツサブグループのコンテンツサブグループ名一覧が表示される。作成者は、コンテンツサブグループ名一覧から開示許可に変更するコンテンツサブグループ名を指定（選択）した後、許可確認ボタンをクリックし、指定したコンテンツサブグループ名のコンテンツサブグループの開示不許可から開示許可への変更指令をコンテンツ開示サーバ１０に指示する。コンテンツ開示サーバ１０は、変更指令に従って、指定されたコンテンツを開示不許可から開示許可に変更する（許可変更手段）。
【００６３】
ディスプレイのコンテンツ表示エリアには指定されたコンテンツサブグループ名が表示され、開示許可表示ボックスにチェックマークが表示される。作成者は、確認ボタンをクリックし、ディスプレイに表示されたコンテンツサブグループ名のコンテンツサブグループの開示許可への更新をコンテンツ開示サーバ１０に指示する。コンテンツ開示サーバ１０は、更新指令に従って、指定されたコンテンツサブグループを開示不許可から開示許可に更新する。
【００６４】
具体的には、ＤＮＳサーバ１３が開示不許可から開示許可に変更されたコンテンツサブグループに対応するユニークＵＲＬを生成し（ＵＲＬ生成手段、第２生成手段）、そのコンテンツサブグループのコンテンツサブグループ名と生成したコンテンツサブグループのユニークＵＲＬとをデータベース・ファイルサーバ１４に出力する。データベース・ファイルサーバサーバ１４は、ＤＮＳサーバ１３から出力されたコンテンツサブグループ名とそのコンテンツサブグループに対応するユニークＵＲＬとを関連付けた状態で、コンテンツサブグループ（コンテンツサブグループ名を含む）とＵＲＬとをＲＡＩＤディスク１６のコンテンツサブグループ開示ファイルに格納する（開示コンテンツ格納手段）。コンテンツ作成者は、開示許可に変更されたコンテンツサブグループに開示が許可された各種コンテンツをリンクさせることができる。データベース・ファイルサーバ１４は、リンク設定指令に従って、指定されたリンク元とリンク先とのリンクを設定し（リンク手段）、設定したリンクをＲＡＩＤディスク１６のコンテンツサブグループリンクファイルに格納する。
【００６５】
図４は、ＤＮＳサーバ１３，１７，１８とコンテンツ要求サーバ１１との間で行われるコンテンツ開示サーバ１０のＩＰアドレスの検索手順の一例を示す図であり、図５は、このシステムにおける各種コンテンツの公開手続の一例を示すフローチャートである。図４では、３つのＤＮＳサーバ１３，１７，１８を図示しているが、ＤＮＳサーバの個数を限定するものではなく、実際には第１〜第ｎＤＮＳサーバが存在する。コンテンツ利用者がコンテンツ要求サーバ１１のディスプレイに表示された各種コンテンツ開示ボタンをクリックすると、サーバ１１のディスプレイには、各種コンテンツのコンテンツ名一覧が表示される。利用者がコンテンツ名一覧から開示を希望するコンテンツ名を指定（選択）し（Ｓ−１０）、再び各種コンテンツ開示ボタンをクリックすると、ＵＲＬ表示エリアに指定した各種コンテンツに対応するユニークＵＲＬが表示される。利用者が表示されたユニークＵＲＬから所定のＵＲＬを指定（選択）すると（Ｓ−１１）、コンテンツ要求サーバ１１は、指定したユニークＵＲＬに対応するコンテンツ開示サーバ１０の所在をＤＮＳサーバ１３に問い合わせる。
【００６６】
コンテンツ要求サーバ１１がコンテンツ開示サーバ１０の所在をＤＮＳサーバ１３に問い合わせると、ＤＮＳサーバ１３は、開示サーバ１０のＩＰアドレスを要求サーバ１１に返答する。コンテンツ要求サーバ１１は、ＤＮＳサーバ１３から受け取ったコンテンツ開示サーバ１０のＩＰアドレスを使用してそのＩＰアドレスに対応する開示サーバ１０にアクセスし、ユニークＵＲＬに対応するコンテンツの開示を要求する。コンテンツ開示サーバ１０は、コンテンツ要求サーバ１１の要求に従って、Ｗｅｂサーバを設定し（Ｓ−１２）、Ｗｅｂサーバに開示要求の各種コンテンツをＨＴＭＬに変換させ（Ｓ−１３）、ユニークＵＲＬに対応する各種コンテンツを要求サーバ１１に開示する。提示されるＵＲＬによってコンテンツとコンテンツグループとコンテンツサブグループのうちの少なくとも一つが開示される。
【００６７】
コンテンツ利用者は、コンテンツやコンテンツグループ、コンテンツサブグループをディスプレイやプリンタから出力させる。また、利用者は、コンテンツに開示された他のコンテンツのユニークＵＲＬ、コンテンツグループのユニークＵＲＬ、コンテンツサブグループのユニークＵＲＬを利用（クリック）し、コンテンツにリンクする他のコンテンツやコンテンツグループ、コンテンツサブグループを開示させることができる。利用者は、コンテンツグループに開示されたコンテンツのユニークＵＲＬ、他のコンテンツグループのユニークＵＲＬ、コンテンツサブグループのユニークＵＲＬを利用（クリック）し、コンテンツグループにリンクするコンテンツや他のコンテンツグループ、コンテンツサブグループを開示させることができる。さらに、コンテンツサブグループに開示されたコンテンツのユニークＵＲＬ、コンテンツグループのユニークＵＲＬ、他のコンテンツサブグループのユニークＵＲＬを利用（クリック）し、コンテンツサブグループにリンクするコンテンツやコンテンツグループ、他のコンテンツサブグループを開示させることができる。
【００６８】
図４に基づいてコンテンツ要求サーバ１１がコンテンツ開示サーバ１０の所在をＤＮＳサーバ１３，１７，１８に問い合わせた場合における提供サーバ１０の検索手順の一例を説明すると、以下のとおりである。なお、各ＤＮＳサーバ１３，１７，１８は、それの直近上位のＤＮＳサーバにＩＰアドレスを登録している。ＤＮＳサーバは、登録したＩＰアドレスに基づいて直近上位のＤＮＳサーバに管理されている。上位に位置するＤＮＳサーバは、その直近下位のＤＮＳサーバのＩＰアドレスのみを管理し、直近下位を除くそれ以下のＤＮＳサーバのＩＰアドレスは管理していない。
【００６９】
ＤＮＳサーバ１３，１７，１８やコンテンツ開示サーバ１０、コンテンツ要求サーバ１１は、インターネットに接続されている。コンテンツ利用者がユニークＵＲＬをコンテンツ要求サーバ１１に提示（入力）すると、要求サーバ１１は、コンテンツ開示サーバ１０の所在を第１ＤＮＳサーバ１７に問い合わせる。第１ＤＮＳサーバ１７は、第２ＤＮＳサーバ１８のＩＰアドレスを検索し、検索した第２ＤＮＳサーバ１８のＩＰアドレスを要求サーバ１１に返答する。第１ＤＮＳサーバ１７にツリー状につらなる複数の第２ＤＮＳサーバのうちの検索された第２ＤＮＳサーバ１８には、コンテンツ開示サーバ１０のＩＰアドレスを格納した第３ＤＮＳサーバ１３がつながっている。
【００７０】
コンテンツ要求サーバ１１に第２ＤＮＳサーバ１８のＩＰアドレスが返答されると、要求サーバ１１は、そのＩＰアドレスから第２ＤＮＳサーバ１８にアクセスし、アクセスした第２ＤＮＳサーバ１８にコンテンツ開示サーバ１０の所在を問い合わせる。第２ＤＮＳサーバ１８は、第３ＤＮＳサーバ１３のＩＰアドレスを検索し、検索した第３ＤＮＳサーバ１３のＩＰアドレスをコンテンツ要求サーバ１１に返答する。コンテンツ要求サーバ１１に第３ＤＮＳサーバ１３のＩＰアドレスが返答されると、要求サーバ１１は、そのＩＰアドレスから第３ＤＮＳサーバ１３にアクセスし、アクセスした第３ＤＮＳサーバ１３にコンテンツ開示サーバ１０の所在を問い合わせる。第３ＤＮＳサーバ１３は、コンテンツ開示サーバ１０のＩＰアドレスを検索し、検索した提供サーバのＩＰアドレスをコンテンツ要求サーバ１１に返答する。コンテンツ要求サーバ１１にコンテンツ開示サーバ１０のＩＰアドレスが返答されると、要求サーバ１１は、そのＩＰアドレスのコンテンツ開示サーバ１０にアクセスし、アクセスした開示サーバ１０にＵＲＬに対応するコンテンツやコンテンツグループ、コンテンツサブグループの開示を要求する。
【００７１】
コンテンツ開示サーバ１０は、ユニークＵＲＬに対応するコンテンツやコンテンツグループ、コンテンツサブグループをコンテンツ要求サーバ１１に開示（提供）し、要求サーバ１１は、開示サーバ１０からコンテンツやコンテンツグループ、コンテンツサブグループを受け取る。このように、第１ＤＮＳサーバ１７から第３ＤＮＳサーバ１３（第ｎＤＮＳサーバ）に向かってそれらＤＮＳサーバ１３，１７，１８とコンテンツ要求サーバ１１との間で問い合わせと返答とを繰り返すことで、コンテンツ開示サーバ１０が検索され、開示サーバ１０のＩＰアドレスの返答を受けた要求サーバ１１がアクセスした開示サーバ１０にユニークＵＲＬに対応するコンテンツやコンテンツグループ、コンテンツサブグループの開示を要求する。
【００７２】
なお、第１ＤＮＳサーバ１７に対するコンテンツ開示サーバの所在の問い合わせ、第１ＤＮＳサーバ１７からコンテンツ要求サーバ１１への第２ＤＮＳサーバ１８のＩＰアドレスの返答、第２ＤＮＳサーバ１８に対する開示サーバ１０の所在の問い合わせ、第２ＤＮＳサーバ１８から要求サーバ１１への第３ＤＮＳサーバ１３のＩＰアドレスの返答、第３ＤＮＳサーバ１３に対する開示サーバ１０の所在の問い合わせ、第３ＤＮＳサーバ１３から要求サーバ１１への開示サーバ１０のＩＰアドレスの返答、要求サーバ１０から開示サーバ１１へのユニークＵＲＬに対応するコンテンツやコンテンツグループ、コンテンツサブグループの開示要求、要求サーバ１１のコンテンツやコンテンツグループ、コンテンツサブグループの受け取りの一連のプロセスはインターネットを介して実行される。
【００７３】
コンテンツ要求サーバ１１は、過去の所在の検索によって返答されたコンテンツ開示サーバ１０のＩＰアドレスを記憶するとともに、過去の所在の検索によって返答されたＤＮＳサーバ１３，１７，１８のＩＰアドレスを記憶する。このシステムは、過去の所在の検索によって返答されたＤＮＳサーバ１３，１７，１８のＩＰアドレスに対応するＵＲＬとコンテンツ開示サーバ１０のＩＰアドレスに対応するユニークＵＲＬとがコンテンツ要求サーバ１１に再び提示（入力）されたときに、それらＤＮＳサーバ１３，１７，１８のうち、要求サーバ１１に記憶されたＩＰアドレスを格納するＤＮＳサーバから上位のＤＮＳサーバの検索を省略する。一方、ＩＰアドレスを格納するＤＮＳサーバから下位のＤＮＳサーバおよびコンテンツ開示サーバ１１の検索が必要になると、ＩＰアドレスを格納するＤＮＳサーバの直近下位のＤＮＳサーバから下位に向かってＤＮＳサーバとコンテンツ要求サーバ１１との間で問い合わせと返答とを繰り返すことで、提示されたユニークＵＲＬに対応するコンテンツ開示サーバ１０を検索し、検索された開示サーバ１０が提示されたユニークＵＲＬに対応するコンテンツやコンテンツグループ、コンテンツサブグループを要求サーバ１１に開示する。
【００７４】
たとえば、過去の所在の検索によって返答されたコンテンツ開示サーバ１０のＩＰアドレスが特定の第３ＤＮＳサーバ１３に登録され、そのＩＰアドレスをコンテンツ要求サーバ１１が記憶していた場合、過去の所在の検索によって返答された開示サーバ１０のＩＰアドレスに対応するユニークＵＲＬが要求サーバ１１に再び提示されると、第１ＤＮＳサーバ１７から第３ＤＮＳサーバ１３に向かってＤＮＳサーバ１３，１７，１８と要求サーバ１１との間で問い合わせと返答とを繰り返すことなく、要求サーバ１１が記憶した開示サーバ１０のＩＰアドレスに基づいて開示サーバ１０にＵＲＬに対応するコンテンツやコンテンツグループ、コンテンツサブグループの開示を要求する。
【００７５】
また、過去の所在の検索によって返答された第２ＤＮＳサーバ１８のＩＰアドレスが特定の第１ＤＮＳサーバ１７に登録され、そのＩＰアドレスをコンテンツ要求サーバ１１が記憶していた場合、過去の所在の検索によって返答された第２ＤＮＳサーバ１８のＩＰアドレスに対応するＵＲＬが要求サーバ１１に再び提示されると、第１ＤＮＳサーバ１８と要求サーバ１１との間で問い合わせと返答とを繰り返すことなく、要求サーバ１１が記憶した第２ＤＮＳサーバ１８のＩＰアドレスに基づいてＤＮＳサーバ１８にコンテンツ開示サーバ１０のＩＰアドレスの返答を要求する。この場合は、第２ＤＮＳサーバ１８に登録されたＩＰアドレスよりも下位のＤＮＳサーバのＩＰアドレスの検索が必要となり、第１ＤＮＳサーバ１７の直近下位の第２ＤＮＳサーバ１８から下位に向かってＤＮＳサーバとコンテンツ要求サーバ１１との間で問い合わせと返答とを繰り返し、提示されたユニークＵＲＬに対応するコンテンツ開示サーバ１０を検索し、検索された開示サーバ１０が提示されたＵＲＬに対応するコンテンツやコンテンツグループ、コンテンツサブグループを要求サーバ１１に開示する。
【００７６】
コンテンツ要求サーバ１１には、過去の所在の検索によって返答されたＤＮＳサーバ１３，１７，１８のＩＰアドレスとコンテンツ開示サーバ１０のＩＰアドレスの記憶時間が設定されている。記憶時間は、数日または数週間、数ヶ月の単位で設定されることが好ましい。なお、０秒の設定も可能である。コンテンツ要求サーバ１１は、記憶時間が経過すると、記憶したＤＮＳサーバ１３，１７，１８のＩＰアドレスとコンテンツ開示サーバ１０のＩＰアドレスとをメモリから消去する。なお、ＩＰアドレスを消去した後、コンテンツ利用者が消去したＩＰアドレスに対応するユニークＵＲＬをコンテンツ要求サーバ１１に提示すると、開示サーバ１０の検索を第１ＤＮＳサーバから開始する。すなわち、第１ＤＮＳサーバから第ｎＤＮＳサーバに向かってＤＮＳサーバとコンテンツ要求サーバ１１との間で問い合わせと返答とを繰り返し、提示されたユニークＵＲＬに対応するコンテンツ開示サーバ１０を検索し、検索された開示サーバ１０が提示されたＵＲＬに対応するコンテンツやコンテンツグループ、コンテンツサブグループを要求サーバ１１に開示する。
【００７７】
コンテンツ開示システムは、ＤＮＳサーバのＩＰアドレスとコンテンツ開示サーバ１０のＩＰアドレスとの記憶時間が経過すると、コンテンツ要求サーバ１１が記憶したそれらＩＰアドレスを消去するから、要求サーバ１１がＤＮＳサーバや開示サーバ１０のＩＰアドレスを記憶した後、それらＩＰアドレスに対応するＤＮＳサーバや開示サーバ１０の所在が変更されたとしても、それに対処することができ、開示サーバ１０の所在を正確に検索することができる。
【００７８】
コンテンツ要求サーバ１１は、それに記憶されていて過去の所在の検索によって返答されたＤＮＳサーバ１３，１７，１８のＩＰアドレスとコンテンツ開示サーバ１０のＩＰアドレスとを任意に消去することができる。その一例として、コンテンツ要求サーバ１１は、ＩＰアドレスを記憶してから所定時間が経過すると、ＤＮＳサーバ１３，１７，１８やコンテンツ開示サーバ１０のＩＰアドレスが変更されたかを判断する。この場合、ＩＰアドレスを使用してそのＩＰアドレスのＤＮＳサーバ１３，１７，１８やコンテンツ開示サーバ１０にアクセスし、アクセスできない場合はＩＰアドレスが変更されたものとして記憶したそのＩＰアドレスを消去する。なお、ＩＰアドレスを任意に消去した後、コンテンツ利用者が消去したＩＰアドレスに対応するユニークＵＲＬをコンテンツ要求サーバ１１に提示すると、コンテンツ開示サーバ１０の検索を第１ＤＮＳサーバから開始する。すなわち、第１ＤＮＳサーバから第ｎＤＮＳサーバに向かってＤＮＳサーバとコンテンツ要求サーバ１１との間で問い合わせと返答とを繰り返し、提示されたユニークＵＲＬに対応するコンテンツ開示サーバ１０を検索し、検索された開示サーバ１０が提示されたＵＲＬに対応するコンテンツやコンテンツグループ、コンテンツサブグループを要求サーバ１１に開示する。コンテンツ開示システムは、コンテンツ要求サーバ１１が記憶したＤＮＳサーバのＩＰアドレスとコンテンツ開示サーバ１０のＩＰアドレスとを任意に消去可能であるから、要求サーバ１１がＤＮＳサーバや開示サーバ１０のＩＰアドレスを記憶した後、それらＩＰアドレスに対応するＤＮＳサーバや開示サーバ１０の所在が変更されたとしても、それに対処することができ、開示サーバ１０の所在を正確に検索することができる。
【００７９】
コンテンツ要求サーバ１１は、ユニークＵＲＬがコンテンツ要求サーバ１１に提示されている提示時間を計数し、計数した提示時間をコンテンツ開示サーバ１０へ送信する。コンテンツ開示サーバ１０は、ユニークＵＲＬの提示時間が設定時間を経過すると、コンテンツ要求サーバ１１へのコンテンツやコンテンツグループ、コンテンツサブグループの開示を中止する。設定時間は、コンテンツ開示サーバ１１にあらかじめ設定されており、好ましくは１分以内、より好ましくは１０秒以内である。コンテンツ開示システムは、コンテンツ要求サーバ１１へのユニークＵＲＬの提示時間が設定時間を経過すると、要求サーバ１１への各種コンテンツの開示を中止するから、コンテンツ利用者以外の者にそのユニークＵＲＬが不正に使用されることを未然に防ぐことができる。
【００８０】
コンテンツ開示システムは、各種複数のコンテンツのうちの開示を許可するコンテンツに対応させたユニークＵＲＬを生成し、そのＵＲＬに対応するコンテンツを開示するから、コンテンツのうちのすべてのコンテンツを開示するかまたは特定のコンテンツのみを開示するかをコンテンツの作成と並行して決定することができ、開示を許可するコンテンツと開示不許可のコンテンツとを各コンテンツの内容や量、コンテンツ利用者の属性等の各種条件に応じて自由に選択することができる。
【００８１】
コンテンツ開示システムは、各種複数のコンテンツグループのうちの開示を許可するグループに対応させたユニークＵＲＬを生成し、そのＵＲＬに対応するコンテンツグループを開示するから、コンテンツグループのうちのすべてのグループを開示するかまたは特定のグループのみを開示するかをコンテンツグループの作成と並行して決定することができ、開示を許可するコンテンツグループと開示不許可のコンテンツグループとを各グループの内容や量、コンテンツ利用者の属性等の各種条件に応じて自由に選択することができる。
【００８２】
コンテンツ開示システムは、各種複数のコンテンツサブグループのうちの開示を許可するサブグループに対応させたユニークＵＲＬを生成し、そのＵＲＬに対応するコンテンツサブグループを開示するから、コンテンツサブグループのうちのすべてのサブグループを開示するかまたは特定のサブグループのみを開示するかをコンテンツサブグループの作成と並行して決定することができ、開示を許可するコンテンツサブグループと開示不許可のコンテンツサブグループとを各サブグループの内容や量、コンテンツ利用者の属性等の各種条件に応じて自由に選択することができる。
【００８３】
コンテンツ開示システムは、ユニークＵＲＬを提示してそのＵＲＬに対応するコンテンツやコンテンツグループ、コンテンツサブグループの開示を要求すると、提示されたユニークＵＲＬに対応するそれら各種コンテンツが開示されるから、開示要求に応じて開示を許可した各種コンテンツをリアルタイムに提供することができる。このコンテンツ開示システムは、各コンテンツのうちの必要なコンテンツを一纏めにしたグループやサブグループとして開示することができ、コンテンツ利用者に有用な情報をリアルタイムに一括提供することができる。
【００８４】
コンテンツ開示システムは、コンテンツやコンテンツグループ、コンテンツサブグループにリンク（関連）する各種複数のコンテンツやコンテンツグループ、コンテンツサブグループを適時に開示することができるから、互いに関連するそれら各種コンテンツを利用することで、各種コンテンツの関連情報を知ることができ、コンテンツ利用者に詳細かつ有用な情報をリアルタイムに一括提供することができる。
【００８５】
コンテンツ開示システムは、開示許可の各種コンテンツを開示不許可に変更することができ、開示不許可の各種コンテンツを開示許可に変更することができるから、事後に生じた各種条件に応じて各種コンテンツを開示不許可に自由に変更することができ、事後に生じた各種条件に応じて各種コンテンツを開示許可に自由に変更することができる。このコンテンツ開示システムは、開示が必要となったコンテンツを一纏めにしたグループとして開示することができ、有用な情報をコンテンツ利用者にリアルタイムに一括して提供することができる。また、各種複数のコンテンツの中から開示が必要となったコンテンツを一纏めにしたサブグループとして開示することができ、有用な情報をコンテンツ利用者にリアルタイムに一括して提供することができる。
【図面の簡単な説明】
【００８６】
【図１】各種コンテンツの作成からユニークＵＲＬ設定までの一例を示す図。
【図２】各種コンテンツの閲覧の一例を示す図。
【図３】作成された各種コンテンツの一例を示す図。
【図４】ＤＮＳサーバとコンテンツ要求サーバとの間で行われるコンテンツ開示サーバのＩＰアドレスの検索手順の一例を示す図。
【図５】このシステムにおける各種コンテンツの公開手続の一例を示すフローチャート。
【符号の説明】
【００８７】
１０    コンテンツ開示サーバ
１１    コンテンツ要求サーバ
１２    ＣＭＳサーバ
１３    ＤＮＳサーバ
１４    データベース・ファイルサーバ
１５    Ｗｅｂサーバ
【図１】
0005284626.tif 000002
【図２】
0005284626.tif 000003
【図３】
0005284626.tif 000004
【図４】
0005284626.tif 000005
【図５】
0005284626.tif 000006